(57)【要約】【課題】簡単な構造でコスト低減を図り、ブレースの外れ止めを極めて容易にし、簡単な手動操作により使用状態又は折り畳み状態に移行できる折り畳み式棚を提供する。【解決手段】前後の支柱２の両外側面に、一端部が後側の支柱２に左右方向を向く枢軸１１により回動自在に枢着され、他端部が前側の支柱２の係止ピン１２に係脱可能に係止するブレース１０を設ける。ブレース１０にスライド可能に挿入された外れ止め部材２０を備え、折り畳んだ状態から使用状態に展開した時にブレース１０が前下方向の傾斜姿勢をとり前後の支柱２同士を連結させると共に、外れ止め部材２０がスライド移動して係止ピン１２の最下部位置まで至るようにした。【選択図】図７
2018166715.tif 000002
【特許請求の範囲】
【請求項１】
前後左右に並ぶ４本の支柱における前側の左右の支柱と後側の左右の支柱との対向面間に、上下複数段の棚板の四隅部を、左右方向を向く枢軸により回動可能に枢着することにより、前記前後の支柱同士が互いに接近しながら平行移動して折り畳み可能とした折り畳み式棚において、
前記前後の支柱の両外側面に、一端部が前記後側の支柱に左右方向を向く枢軸により回動自在に枢着され、他端部が前記前側の支柱の係止ピンに係脱可能に係止するブレースを設け、前記ブレースにスライド可能に挿入された外れ止め部材を備え、折り畳んだ状態から使用状態に展開した時に前記ブレースが前下方向の傾斜姿勢をとり前記前後の支柱同士を連結させると共に、前記外れ止め部材が移動して前記係止ピンの最下部位置まで至るようにし前記ブレースが前記係止ピンから外れるのを防止することを特徴とする折り畳み式棚。
【請求項２】
前記ブレースの前記一端部は、前記後側の支柱の上端部に回動自在に枢着され、前記ブレースの前記他端部には、前記前側の支柱の中央部に設けられた前記係止ピンに嵌合する係合溝が長手方向に直交するように設けられ、折り畳んだ状態から使用状態に展開した時に前記外れ止め部材が斜め下方向に自重でスライド移動することを特徴とする請求項１に記載の折り畳み式棚。
【請求項３】
前記ブレースの前記係合溝の近傍位置に係合突起部が突出形成され、前記外れ止め部材の外側面の先端部から中央部にかけて長手方向の抜け止め溝が設けられ、折り畳んだ状態から使用状態に展開した時に前記抜け止め溝の内側壁が前記係合突起部に当接して前記外れ止め部材が前記係止ピンの最下部位置で保持されることを特徴とする請求項２に記載の折り畳み式棚。
【発明の詳細な説明】
【技術分野】
【０００１】
本発明は、簡単な構造でコスト低減を図ると共に、ブレースの外れ止めを極めて容易にした折り畳み式棚に関するものである。
【背景技術】
【０００２】
従来から、不使用時には偏平状に折り畳んで保管し得るようにした折り畳み式棚としては、以下のようなものが提案されている。
【０００３】
特開昭６４−７６８０３号公報（特許文献１）には、使用状態に展開した時に、前後の支柱同士をブレースにより連結した固定するとともに、棚板の前後両側辺と、これに隣接する支柱の前後の側辺部との間に挟入したブラケットを介して、棚板と支柱とをボルトとナットで固定した「折り畳み可能なラック」が提案されている。
【０００４】
特開２００５−４０１８５号公報（特許文献２）には、ラックを使用状態と折り畳み状態とに容易にロックし得るようにすることを目的とし、前後左右に並ぶ４本の支柱の対向面により四隅部が枢着された最上段の棚板の前端部下面と、前側の左右の支柱の内側面とに、各段の棚板が水平をなす使用状態にロックし得るとともに、該ロック状態を解除することにより折り畳み可能とし、かつ折り畳み状態にロックし得る係止手段を設ける「折り畳み式ラック」が提案されている。
【０００５】
実用新案登録第３１５３０１３号公報（特許文献３）には、筋交い固定装置が容易にスライドしない折り畳み式棚を提供することを目的とし、筋交いを掛け止めピンに固定するための筋交い固定装置を筋交いにスライド可能に設け、筋交い固定装置は、案内部材と、掛け外れ防止部材と、スライド防止カバーとを含み、掛け止めピンは掛け外れ防止部材の切り込み内に嵌り込むと、スライド防止カバーの突出部により掛け止めピンが掛け止めされる「折り畳み式棚」が提案されている。
【先行技術文献】
【特許文献】
【０００６】
【特許文献１】特開昭６４−７６８０３号公報
【特許文献２】特開２００５−４０１８５号公報
【特許文献３】実用新案登録第３１５３０１３号公報
【発明の概要】
【発明が解決しようとする課題】
【０００７】
しかし、上記特許文献１に記載されている折り畳み可能なラックは、前後の支柱を別体のブレースにより連結し、ブレースをネジにより支柱に固定しているため、ブレースの取付け・取外し・保管が必要になり、作業の手間がかかる。
【０００８】
また、上記特許文献２に記載されている折り畳み式ラックは、前後の支柱の対向面の下部と上部には、それぞれ前上方と後上方に傾斜するブレースが取り付けられているが、固定ネジによるブレースの外れ止め作業が必要になる。
【０００９】
また、上記特許文献３に記載されている折り畳み式棚は、筋交い固定装置は、案内部材と、掛け外れ防止部材と、スライド防止カバーとを含むため、外れ止めは容易だが、専用部品のためコスト高になるという問題を有している。
【００１０】
そこで、本発明は、上記課題を解決するため本願発明者が鋭意検討を重ねて、簡単な構造でコスト低減を図り、ブレースの外れ止めを極めて容易にし、簡単な手動操作により使用状態又は折り畳み状態に移行できる折り畳み式棚を提供することを目的とする。
【課題を解決するための手段】
【００１１】
上記の課題を解決するために、請求項１に記載の発明は、前後左右に並ぶ４本の支柱における前側の左右の支柱と後側の左右の支柱との対向面間に、上下複数段の棚板の四隅部を、左右方向を向く枢軸により回動可能に枢着することにより、前記前後の支柱同士が互いに接近しながら平行移動して折り畳み可能とした折り畳み式棚において、前記前後の支柱の両外側面に、一端部が前記後側の支柱に左右方向を向く枢軸により回動自在に枢着され、他端部が前記前側の支柱の係止ピンに係脱可能に係止するブレースを設け、前記ブレースにスライド可能に挿入された外れ止め部材を備え、折り畳んだ状態から使用状態に展開した時に前記ブレースが前下方向の傾斜姿勢をとり前記前後の支柱同士を連結させると共に、前記外れ止め部材が移動して前記係止ピンの最下部位置まで至るようにして前記ブレースが前記係止ピンから外れるのを防止することを特徴とする。
【００１２】
また、請求項２に記載の発明は、請求項１に記載の前記ブレースの前記一端部は、前記後側の支柱の上端部に回動自在に枢着され、前記ブレースの前記他端部には、前記前側の支柱の中央部に設けられた前記係止ピンに嵌合する係合溝が長手方向に直交するように設けられ、折り畳んだ状態から使用状態に展開した時に前記外れ止め部材が斜め下方向に自重でスライド移動することを特徴とする。
【００１３】
また、請求項３に記載の発明は、請求項２に記載の前記ブレースの前記係合溝の近傍位置に係合突起部が突出形成され、前記外れ止め部材の外側面の先端部から中央部にかけて長手方向の抜け止め溝が設けられ、折り畳んだ状態から使用状態に展開した時に前記抜け止め溝の内側壁が前記係合突起部に当接して前記外れ止め部材が前記係止ピンの最下部位置で保持されることを特徴とする。
【発明の効果】
【００１４】
以上のように、本発明によれば、ブレースにスライド可能に挿入された外れ止め部材を備え、折り畳んだ状態から使用状態に展開した時にブレースが前下方向の傾斜姿勢をとると同時に、外れ止め部材が移動して係止ピンの最下部位置まで至るようにし、簡単な構造でブレースが係止ピンから外れるのを防止するようにしたので、従来よりもコスト低減を図ることが可能になる。
【００１５】
また、ブレースの係合溝の近傍位置に係合突起部が突出形成され、外れ止め部材に抜け止め溝が設けられ、抜け止め溝が係合突起部に当接した際に外れ止め部材が係止ピンの最下部位置で保持されるようにしたので、ブレースの外れ止めの特別な作業が不要であるため、従来よりも作業が簡単になる。
【００１６】
更に、折り畳み式棚を誰でも簡単な手動操作により、しかも短時間で使用状態と折り畳み状態に移行することが可能になる、
【図面の簡単な説明】
【００１７】
【図１】本発明にかかる折り畳み式棚の一例の使用状態を示す正面図である。
【図２】図１の折り畳み式棚の使用状態を示す背面図である。
【図３】図１の折り畳み式棚の使用状態を示す右側面である。
【図４】図１の折り畳み式棚の使用状態を示す左側面である。
【図５】図１の折り畳み式棚の使用状態を示す平面面である。
【図６】図１の折り畳み式棚の使用状態を示す底面面である。
【図７】図１の折り畳み式棚の使用状態を示す斜視図である。
【図８】図４中のブレース、外れ止め部材を拡大した説明図である。
【図９】図４中のブレース、係止ピンの係合前の状態を示す説明図である。
【図１０】図９に示すブレース、係止ピンの係合時の状態を示す説明図である。
【図１１】図１０に示す外れ止め部材が係止ピンの最下部位置までスライド移動した状態を示す説明図である。
【図１２】図１の折り畳み式棚の組立手順（１）を示す側面図である。
【図１３】図１０の折り畳み式棚の平面図である。
【図１４】図１の折り畳み式棚の組立手順（２）を示す側面図である。
【図１５】図１の折り畳み式棚の組立手順（３）を示す側面図である。
【図１６】図１の折り畳み式棚の組立手順（４）を示す側面図である。
【発明を実施するための形態】
【００１８】
以下、本発明の実施形態の一例について図を参酌しながら説明する。なお、本発明の折り畳み式棚の各構成については、以下の実施例に限定されるものではなく、使用状況によって適宜変更することができる。
【００１９】
図１は、本発明にかかる折り畳み式棚の一例の使用状態を示す正面図、図２は背面図、図３は右側面図、図４は左側面図、図５は平面図、図６は底面図、図７は斜視図である。
【００２０】
図１乃至図７に示すように、本発明にかかる折り畳み式棚１は、前後左右（ 以下、図３ の左方を前として説明する）に並ぶ４本の支柱２における前側の左右の支柱２と後側の左右の支柱２との対向面間に、上下複数段（３段）の棚板４の四隅部が、左右方向を向く枢軸（ボルトとナット、前側の上部及び下部にはサラバネワッシャーを追加）３により回動可能に枢着されている。これにより、折り畳み式棚１は、前後の支柱２同士が互いに接近しながら平行移動して折り畳み可能となっている。なお、棚板４の段数は、図示する内容に限定されるものではなく、適宜段数を増やしてもよい。
【００２１】
図１及び図２に示すように、後側の左右の支柱２との対向面間の最上段の棚板４と最下段の棚板４の下方位置には、横杆５が架け渡され固定されている。これにより、使用状態における折り畳み式棚１の剛性を高めることができる。
【００２２】
前後の支柱２の両外側面には、左右一対のブレース１０が設けられている。ブレース１０の一端部は、後側の支柱２の上端部に左右方向を向く枢軸（ボルトとナット）１１により回動自在に枢着されている。また、図８（（ａ）拡大平面図、（ｂ）拡大正面図、（ｃ）拡大側面図）に示すように、ブレース１０の他端部（先端部）には、前側の支柱２の中央部に設けられた係止ピン１２に嵌合する半長円状の係合溝１３が長手方向に直交する方向（幅方向）に設けられている。これにより、係合溝１３と係止ピン１２が係脱可能にとなり、折り畳んだ状態から使用状態に展開した時に、左右一対のブレース１０が前下方向の傾斜姿勢（図３、図４、図７参照）をとり、前後の支柱２同士を連結して使用状態を確実に保持することができる。
【００２３】
図１乃至図１１に示すように、ブレース１０は、外れ止め部材２０を備えている。ここで、外れ止め部材２０の詳細について説明する。外れ止め部材２０は、図８乃至図１１に示すように、ブレース１０本体にスライド可能に挿入されている。ブレース１０の係合溝１３の近傍位置には、係合突起部１４が突出形成されている。このため、外れ止め部材２０は、抜け止め溝２１の内側壁が係合突起部１４に当接した位置（図８の（ａ）（ｂ）に示す二点鎖線参照）まで移動することができる。また、外れ止め部材２０の外側面の先端部から中央部にかけて長手方向に半長円状の抜け止め溝２１が設けられている。図８の（ｃ）に示すように、外れ止め部材２０の内側面（図面の底部）は、両端部が屈曲形成されて間隙を有している。
【００２４】
図９は、ブレース１０と係止ピン１２の係合前の状態を示す。図１０は、ブレース１０と係止ピン１２の係合時の状態を示す。図１１は、外れ止め部材２が係止ピン１２の最下部位置までスライド移動した状態を示す。このように、使用状態に展開した時に、ブレース１０が前下方向の傾斜姿勢をとり前後の支柱２同士が連結されると共に、外れ止め部材２０が斜め下方向に自重でスライド移動して係止ピン１２の最下部位置（係止ピン１２の最下部までカバーする位置）まで至るように設定されている。これにより、外れ止め部材２０が係止ピン１２の最下部位置で保持され、係止ピン１２が直交する係合溝１３と抜け止め溝２１の間（図８の（ａ）に示す二点鎖線参照）に囲まれた状態となり、ブレース１０が係止ピン１２から外れるのを確実に防止することができる。
【００２５】
次に、折り畳み式棚１の組立手順について、図１２乃至図１６に基づき説明する。  
【００２６】
先ず、図１２及び図１３の組立手順（１）に示すように、折り畳み式棚１を折り畳んだ状態で後側の左右の支柱２側を下にして床面に置く。  
【００２７】
次に、図１４の組立手順（２）に示すように、折り畳み式棚１の左右の前側の支柱２又は棚板４を手で操作して下端部方向（図面の右方向）に移動させると、棚板４が起き上がる。
【００２８】
更に、図１５の組立手順（３）に示すように、折り畳み式棚１の左右の前側の支柱２又は棚板４を手で操作して、各棚板４が起立姿勢（直角）になるまで移動させる。
【００２９】
次に、図１６の組立手順（４）に示すように、折り畳み式棚１の左右のブレース１０をそれぞれ手で操作して左右の前側の支柱２の方向（図面の上方向）に回転させて、左右の係止ピン１２に係合させる。
【００３０】
最後に、上記組立手順（４）の状態から手で操作して折り畳み式棚１を起立（図面の右方向に回転）させると、図１乃至図７に示す使用状態になり作業が完了する。このとき、外れ止め部材２０が起立時の回転操作により自重でスライド移動して係止ピン１２の最下部位置まで至り、ブレース１０が係止ピン１２から外れるのを防止する。
【００３１】
尚、折り畳み式棚１を使用状態から折り畳み状態にするには、上記組立手順と反対の手動操作を行えばよい。
【００３２】
以上のとおり、折り畳み式棚１は、簡単な手動操作により短時間で使用状態と折り畳み状態に移行することができ、且つ使用状態に展開する際又は折り畳み状態に戻す際に、ブレース１０の外れ止めの特別な作業が不要であるため、従来よりも作業が簡単になる。
【符号の説明】
【００３３】
１  折り畳み式棚
２  支柱
３  枢軸
４  棚板
５  横杆
１０  ブレース
１１  枢軸
１２  係止ピン
１３  係合溝
１４  係合突起部
２０  外れ止め部材
２１  抜け止め溝
【図１】
2018166715.tif 000003
【図２】
2018166715.tif 000004
【図３】
2018166715.tif 000005
【図４】
2018166715.tif 000006
【図５】
2018166715.tif 000007
【図６】
2018166715.tif 000008
【図７】
2018166715.tif 000009
【図８】
2018166715.tif 000010
【図９】
2018166715.tif 000011
【図１０】
2018166715.tif 000012
【図１１】
2018166715.tif 000013
【図１２】
2018166715.tif 000014
【図１３】
2018166715.tif 000015
【図１４】
2018166715.tif 000016
【図１５】
2018166715.tif 000017
【図１６】
2018166715.tif 000018